(57)【要約】【課題】  ジェスチャ入力を検出して、そのジェスチャ入力に対応する被操作対象端末への要求を被操作対象端末へ送信する。【解決手段】  接触または押下等の入力を受けた操作入力部１０は、その旨を信号出力部２０に伝える。これを受けた信号出力部２０はバッファ３０および送信部７０に操作信号を出力する。バッファ３０は操作信号を保持する。操作入力部１０に対する入力が繰り返されるとバッファ３０には複数の操作信号が保持される。また、信号列リスト４０には所定の信号列および信号列に対応する被操作対象機器への要求が保持されている。要求検索部５０は、バッファ３０に保持された操作信号を時系列に並べた信号列と一致する信号列を信号列リスト４０から検索する。一致する信号列が検索されると、その信号列に対応する被操作対象機器への要求が送信部７０に出力され、被操作対象機器に送信される。【選択図】      図２
2007025810.tif 000002
【特許請求の範囲】
【請求項１】
被操作対象機器に対する操作を受ける操作入力手段と、
前記操作に対応する操作信号を出力する信号出力手段と、
前記操作信号を保持するバッファと、
所定の信号列および前記所定の信号列に対応する前記被操作対象機器への要求を保持する信号列リストと、
前記バッファに保持された前記操作信号を時系列に並べた信号列と一致する信号列を前記信号列リストから検索して前記一致した信号列に対応する前記要求を出力する要求検索手段と、
前記一致した信号列に対応する前記要求を被操作対象機器に送信する送信手段と
を具備することを特徴とする操作端末。
【請求項２】
前記操作入力手段は、
少なくとも２つのキーと、
前記キーに対する外部からの接触を検出することによって前記操作を受ける接触操作入力手段と、
前記キーが押下されたことを検出することによって前記操作を受ける押下操作入力手段と
を備え、
前記信号出力手段は、
前記接触操作入力手段が前記接触を検出すると前記操作信号の一部として接触操作信号を出力する接触操作信号出力手段と、
前記押下操作入力手段が前記押下されたことを検出すると前記操作信号の一部として押下操作信号を出力する押下操作信号出力手段と
を備えることを特徴とする請求項１記載の操作端末。
【請求項３】
前記キーの一つに対する前記押下を検出することによって出力される前記押下操作信号を前記押下されたキーに対応する前記接触操作信号に変換する押下操作信号変換手段をさらに具備することを特徴とする請求項２記載の操作端末。
【請求項４】
前記キーは、少なくとも２つのグループに分けられ、
前記接触操作信号出力手段および前記押下操作信号出力手段から出力された前記接触操作信号および前記押下操作信号を前記グループ毎に異なる前記接触操作信号および前記押下操作信号に変換するグループ信号変換手段をさらに具備することを特徴とする請求項２記載の操作端末。
【請求項５】
前記操作入力手段は、前記キーに対して同時に前記接触または前記押下を行ったことを検出する同時操作検出手段をさらに具備し、
前記信号出力手段は、前記操作入力手段が同時に前記接触または前記押下を行ったことを検出すると前記操作信号の一部として同時操作検出信号を出力する同時操作検出信号出力手段をさらに具備することを特徴とする請求項２記載の操作端末。
【請求項６】
前記キーは、平面の四方向に突起した形状をしていることを特徴とする請求項２記載の操作端末。
【請求項７】
前記キーは、少なくとも２つの前記キーが配置された領域の略中央に位置するキーに突起部が設けられたことを特徴とする請求項２記載の操作端末。
【請求項８】
前記キーが配置された領域の略中央に相当する当該操作端末の裏面の位置に突起部が設けられたことを特徴とする請求項２記載の操作端末。
【請求項９】
前記バッファに前記操作信号が保持されてから所定時間経過すると前記バッファに保持された前記操作信号を消去する信号消去手段をさらに具備することを特徴とする請求項１記載の操作端末。
【請求項１０】
前記要求検索手段において前記要求が出力されると前記バッファに保持された前記操作信号を消去する信号消去手段をさらに具備することを特徴とする請求項１記載の操作端末。
【請求項１１】
前記送信手段は、赤外線を用いて前記検出結果を前記被操作対象機器に送信することを特徴とする請求項１記載の操作端末。
【請求項１２】
特定の前記キーに対する前記操作によって出力される前記操作信号が所定時間継続して出力されると前記赤外線の発光を停止させる赤外線発光停止手段をさらに具備することを特徴とする請求項１１記載の操作端末。
【請求項１３】
被操作対象機器に対する操作を受ける操作入力手段と、
前記操作に対応する操作信号を出力する信号出力手段と、
前記操作信号を保持するバッファと、
所定の信号列および前記所定の信号列に対応する前記被操作対象機器への要求を保持する信号列リストと、
前記バッファに保持された前記操作信号を時系列に並べた信号列と一致する信号列を前記信号列リストから検索して前記一致した信号列に対応する前記要求を出力する要求検索手段と、
前記一致した信号列に対応する前記要求を被操作対象機器に送信する送信手段と
を備える操作端末と、
前記要求を受信してその要求を実行する情報処理機器と
を具備することを特徴とする情報処理システム。
【請求項１４】
所定の信号列および前記所定の信号列に対応する前記被操作対象機器への要求を保持する信号列リストとバッファとを備えた操作端末における処理方法であって、
外部から操作を受けたか否かを判断する操作判断手順と、
外部から前記操作を受けたと判断された場合に前記操作に対応する操作信号を出力する信号出力手順と、
前記操作信号をバッファに保持させる信号保持手順と、
前記バッファに保持された前記操作信号を時系列に並べた信号列と一致する信号列を前記信号列リストから検索して前記一致した信号列に対応する前記要求を出力する要求検索手順と、
前記一致した信号列に対応する前記要求を被操作対象機器に送信する送信手順と
を具備することを特徴とする処理方法。
【請求項１５】
所定の信号列および前記所定の信号列に対応する前記被操作対象機器への要求を保持する信号列リストとバッファとを備えた操作端末に、
外部から操作を受けたか否かを判断する操作判断手順と、
外部から前記操作を受けたと判断された場合に前記操作に対応する操作信号を出力する信号出力手順と、
前記操作信号をバッファに保持させる信号保持手順と、
前記バッファに保持された前記操作信号を時系列に並べた信号列と一致する信号列を前記信号列リストから検索して前記一致した信号列に対応する前記要求を出力する要求検索手順と、
前記一致した信号列に対応する前記要求を被操作対象機器に送信する送信手順と
を実行させることを特徴とするプログラム。
【発明の詳細な説明】
【技術分野】
【０００１】
本発明は、操作端末に関し、特に操作信号の信号列を被操作対象機器への要求に変換する操作端末、および、これらにおける処理方法ならびに当該方法をコンピュータに実行させるプログラムに関する。
【背景技術】
【０００２】
テレビその他の情報処理機器の操作は、キーを備えたリモートコントローラ（以下、リモコンと略す。）によって行われることが多い。近年、テレビその他の情報処理機器の機能は多岐にわたり、それに伴いリモコンのキーの数は増加している。リモコンのキーの数が増加すると、それに応じてリモコン自体が大型化していくという問題点があった。このような問題を解決するため、従来より、一つのキーに対して外部から接触等の弱い圧力を加えた場合と押下等の強い圧力を加えた場合の２種類の操作を受け付けるリモコンが提案されている（例えば、特許文献１参照。）。
【０００３】
このリモコンは、リモコンに設けられているキーの外部から接触等の弱い圧力を受けるとその旨を被操作対象機器に送信する。被操作対象機器は、その旨を受信するとそのキーが接触された様子を表示させる。リモコンに設けられているキーの外部から押下等の強い圧力を加えた場合も同様である。このような機能を備えたリモコンは、上述のような表示画面に接触を受けた様子を表示させるという用い方の他にも、いろいろな技術に応用されている。
【０００４】
ところで、近年、ジェスチャ入力という概念が登場してきている。このジェスチャ入力とは、少なくとも２以上のキーに対して予め決められた順に撫でるように入力を行うものである。ジェスチャ入力における操作としては、例えばキーからそのキーの隣に配置されたキーへと連続して間断なく入力していくことが想定される。
【特許文献１】特開２００３−２２３２６５号公報（図１２）
【発明の開示】
【発明が解決しようとする課題】
【０００５】
上記従来技術のリモコンにおいては、被操作対象機器に所定の要求を送信する場合はその要求に対応するキーまたはメニューが設けられており、そのキーに対する操作またはメニューの選択によって被操作対象機器に所定の要求を送信するものであり、ジェスチャ入力を生かして被操作対象機器に所定の要求を送信することが行われていなかった。ジェスチャ入力を生かして被操作対象機器に所定の要求を送信するリモコンがあれば、ユーザーにとって便利である。
【０００６】
また、一般的にリモコンがユーザーの入力を送信中は、ユーザーがリモコンに新たに入力してもその入力は廃棄される。特に、リモコンにおいて採用されることの多い通信方式である赤外線を用いた通信は低速であるため、ユーザーのリモコンに対する入力速度が上がれば上がるほど廃棄される入力は増える。
【０００７】
しかしながら、リモコンへの入力が廃棄される従来技術のままでは、ジェスチャ入力を実現することは難しい。特に、赤外線を用いたリモコンはそのコストの低さから現状においても必要性はあり、赤外線等の通信速度の遅い通信方式を採用するリモコンにおいてジェスチャ入力を実現することが望まれる。
【０００８】
そこで、本発明は、ジェスチャ入力を検出して、そのジェスチャ入力に対応する被操作対象端末への要求を被操作対象端末へ送信する操作端末を提供することを目的とする。
【課題を解決するための手段】
【０００９】
本発明は、上記課題を解決するためになされたものであり、その第１の側面は、被操作対象機器に対する操作を受ける操作入力手段と、上記操作に対応する操作信号を出力する信号出力手段と、上記操作信号を保持するバッファと、所定の信号列および上記所定の信号列に対応する上記被操作対象機器への要求を保持する信号列リストと、上記バッファに保持された上記操作信号を時系列に並べた信号列と一致する信号列を上記信号列リストから検索して上記一致した信号列に対応する上記要求を出力する要求検索手段と、上記一致した信号列に対応する上記要求を被操作対象機器に送信する送信手段とを具備することを特徴とする操作端末である。これにより、入力された複数の操作信号を廃棄させることなく保持させ、その保持された操作信号を時系列に並べた信号列に基づいて被操作対象機器に所定の要求を送信させるという作用をもたらす。すなわち、ジェスチャ入力に基づいて被操作対象機器に所定の要求を送信することが可能となる。
【００１０】
また、この第１の側面において、当該操作端末における上記操作入力手段は、少なくとも２つのキーと、上記キーに対する外部からの接触を検出することによって上記操作を受ける接触操作入力手段と、上記キーが押下されたことを検出することによって上記操作を受ける押下操作入力手段とを備え、上記信号出力手段は、上記接触操作入力手段が上記接触を検出すると上記操作信号の一部として接触操作信号を出力する接触操作信号出力手段と、上記押下操作入力手段が上記押下されたことを検出すると上記操作信号の一部として押下操作信号を出力する押下操作信号出力手段とを備えることを特徴とするものである。これにより、操作端末に対して外部から接触等の弱い圧力を加えた場合と押下等の強い圧力を加えた場合とで異なる操作信号を出力させるという作用をもたらす。
【００１１】
また、当該操作端末は、上記キーの一つに対する上記押下を検出することによって出力される上記押下操作信号を上記押下されたキーに対応する上記接触操作信号に変換する押下操作信号変換手段をさらに具備することを特徴とするものである。これにより、ジェスチャ入力を行う場合に、当該操作端末のキーを誤って押下してもキーに接触したときに出力される操作信号に変換させるという作用をもたらす。
【００１２】
また、当該操作端末において、上記キーは、少なくとも２つのグループに分けられ、
上記接触操作信号出力手段および上記押下操作信号出力手段から出力された上記接触操作信号および上記押下操作信号を上記グループ毎に異なる上記接触操作信号および上記押下操作信号に変換するグループ信号変換手段をさらに具備することを特徴とするものである。これにより、被操作対象機器への要求を検出するに際しては、同じグループに属するキーを通じて出力される操作信号は同じ信号として扱わせるという作用をもたらす。すなわち、操作ミスによるユーザーが意図しないジェスチャ入力を防止することが可能となる。
【００１３】
また、当該操作端末において、上記操作入力手段は、上記キーに対して同時に上記接触または上記押下を行ったことを検出する同時操作検出手段をさらに具備し、上記信号出力手段は、上記操作入力手段が同時に上記接触または上記押下を行ったことを検出すると上記操作信号の一部として同時操作検出信号を出力する同時操作検出信号出力手段をさらに具備することを特徴とするものである。これにより、少なくとも２つのキーに対して同時に接触または上記押下を行ったとしてもその旨を被操作対象端末に送信させるという作用をもたらす。
【００１４】
また、当該操作端末において、上記キーは、平面の四方向に突起した形状をしていることを特徴とするものである。これにより、ユーザーに違和感なく操作をさせるという作用をもたらす。
【００１５】
また、当該操作端末において、上記キーは、少なくとも２つの上記キーが配置された領域の略中央に位置するキーに突起部が設けられたことを特徴とするものである。これにより、ユーザーにキーが配置されている領域の中央を容易に認識させるという作用をもたらす。
【００１６】
また、当該操作端末において、上記キーが配置された領域の略中央に相当する当該操作端末の裏面の位置に突起部が設けられたことを特徴とするものである。これにより、ユーザーにキーが配置されている領域の中央を容易に認識させるという作用をもたらす。
【００１７】
また、この第１の側面において、当該操作端末は、上記バッファに上記操作信号が保持されてから所定時間経過すると上記バッファに保持された上記操作信号を消去する信号消去手段をさらに具備することを特徴とするものである。これにより、ユーザーが意図しない被操作対象機器への要求をさせないという作用をもたらす。
【００１８】
また、この第１の側面において、当該操作端末は、上記要求検索手段において上記要求が出力されると上記バッファに保持された上記操作信号を消去する信号消去手段をさらに具備することを特徴とするものである。これにより、ユーザーが意図しない被操作対象機器への要求をさせないという作用をもたらす。
【００１９】
また、この第１の側面において、当該操作端末おける上記送信手段は、赤外線を用いて上記検出結果を上記被操作対象機器に送信することを特徴とするものである。これにより、コストを抑えた操作端末を提供させるという作用をもたらす。
【００２０】
また、当該操作端末は、特定の上記キーに対する上記操作によって出力される上記操作信号が所定時間継続して出力されると上記赤外線の発光を停止させる赤外線発光停止手段をさらに具備することを特徴とするものである。これにより、当該操作端末の消費電力を低くさせるという作用をもたらす。
【００２１】
また、本発明の第２の側面は、被操作対象機器に対する操作を受ける操作入力手段と、上記操作に対応する操作信号を出力する信号出力手段と、上記操作信号を保持するバッファと、所定の信号列および上記所定の信号列に対応する上記被操作対象機器への要求を保持する信号列リストと、上記バッファに保持された上記操作信号を時系列に並べた信号列と一致する信号列を上記信号列リストから検索して上記一致した信号列に対応する上記要求を出力する要求検索手段と、上記一致した信号列に対応する上記要求を被操作対象機器に送信する送信手段とを備える操作端末と、上記要求を受信してその要求を実行する情報処理機器とを具備することを特徴とする操作処理システムである。これにより、操作端末において入力された複数の操作信号廃棄させることなく保持させ、その保持された操作信号を時系列に並べた信号列に基づいて被操作対象機器に所定の要求を送信させ、その要求を情報処理機器に実現させるという作用をもたらす。
【００２２】
また、本発明の第３の側面は、所定の信号列および上記所定の信号列に対応する上記被操作対象機器への要求を保持する信号列リストとバッファとを備えた操作端末において以下の手順を実行する処理方法または以下の手順をコンピュータに実行させるプログラムであって、外部から操作を受けたか否かを判断する操作判断手順と、外部から上記操作を受けたと判断された場合に上記操作に対応する操作信号を出力する信号出力手順と、上記操作信号をバッファに保持させる信号保持手順と、上記バッファに保持された上記操作信号を時系列に並べた信号列と一致する信号列を上記信号列リストから検索して上記一致した信号列に対応する上記要求を出力する信号列情報検索手順と、上記一致した信号列に対応する上記要求を被操作対象機器に送信する送信手順とを具備することを特徴とする処理方法またはこれらの手順をコンピュータに実行させるプログラムである。これにより、入力された複数の操作信号廃棄させることなく保持させ、その保持された操作信号を時系列に並べた信号列に基づいて被操作対象機器に所定の要求を送信させるという作用をもたらす。
【発明の効果】
【００２３】
本発明によれば、ジェスチャ入力を検出して、そのジェスチャ入力に対応する被操作対象端末への要求を被操作対象端末へ送信するという優れた効果を奏し得る。
【発明を実施するための最良の形態】
【００２４】
次に本発明の実施の形態について図面を参照して詳細に説明する。
【００２５】
図１は、本発明の第１の実施の形態における操作端末１００の構成の一例を示す図である。図１に示すように、操作端末１００は、電源をオン／オフするときに操作される電源ボタン１１０と、プリセンス１２０と、チャンネルを順次選択するときに操作されるチャンネルボタン１３１と、音量調節を行うときに操作される音量ボタン１３２とを備えている。
【００２６】
プリセンス１２０は、プリセンス１２０に対して外部から接触等の弱い圧力を加えた場合と押下等の強い圧力を加えた場合とで、異なる操作信号を出力する機能をもったキーである。図１において操作端末１００は、２５個のプリセンス１２０を備え、プリセンス１２０は操作端末１００の表面に５×５のマトリクス状に配置されているが、これに限るものでない。例えば、従来のテレビ用リモコンに準じて、プリセンス１２０の数を１２個として操作端末１００の表面にプリセンス１２０を３×４のマトリクス状に配置するものであってもよい。
【００２７】
また、操作端末１００は、システムメニューの表示を指示するときに操作されるシステムメニューボタン１４１と、タイトルリストの表示を指示するときに操作されるタイトルリストボタン１４２と、ツールの表示を指示するときに操作されるツールボタン１４３と、左右上下へのカーソル移動と決定を指示するときに操作される選択決定ボタン１４４とを備えている。
【００２８】
また、操作端末１００は、前のタイトル、チャプター、または、トラックに進むとき操作される前ボタン１４５と、次のタイトル、チャプター、または、トラックに進むとき操作される次ボタン１４８と、巻き戻しするときに操作される巻戻ボタン１４６と、早送りするときに操作される早送ボタン１４７と、再生を指示するときに操作される再生ボタン１４９と、再生の一時停止を指示するときに操作される一時停止ボタン１５０と、再生の停止を指示するときに操作される停止ボタン１５１とを備えている。
【００２９】
なお、操作端末１００としては、例えば記録再生機能、または、ＷＥＢ（World Wide Web）ブラウジング機能を有するテレビを操作するリモコンが想定されるがこれに限るものではない。
【００３０】
図２は、本発明の第１の実施の形態における操作端末１００の機能構成の一例を示す図である。操作端末１００は、操作入力部１０と、信号出力部２０と、バッファ３０と、信号列リスト４０と、要求検索部５０と、信号消去部６０と、送信部７０と、赤外線発光停止部８０とを備える。
【００３１】
操作入力部１０は、（図示しない）被操作対象機器に対する操作を受けるものであり、キー群１１と、接触操作入力部１２と、押下操作入力部１３と、同時操作検出部１４とを備える。キー群１１は、外部からの操作を受けるものであり、少なくとも２つのキーを備える。接触操作入力部１２は、キー群１１に対する接触などの弱い圧力による入力（以下、接触操作入力と呼ぶ。）を検出して、操作を受けた旨を信号出力部２０に伝えるものである。なお、接触入力は、一般的にセンシング入力と呼ぶこともある。押下操作入力部１３は、キー群１１に対する押下などの強い圧力による入力（以下、押下操作入力と呼ぶ。）を検出して、操作を受けた旨を信号出力部２０に伝えるものである。また、同時操作検出部１４は、キー群１１中の少なくとも２つのキーに対して同時に接触などの弱い圧力または押下などの強い圧力が加えられたことを検出して、その旨を信号出力部に伝えるものである。
【００３２】
信号出力部２０は、接触操作信号出力部２１と、押下操作信号出力部２２と、押下操作信号変換部２３と、グループ信号変換部２４と、同時操作検出信号出力部２５とを備える。接触操作信号出力部２１は、接触操作入力部１２から操作を受けた旨を受け取るとそれに対応する操作信号（以下、接触操作信号と呼ぶ。）を出力するものである。この接触操作信号は、グループ信号変換部２４および送信部７０に供給される。
【００３３】
押下操作信号出力部２２は、押下操作入力部１３から操作を受けた旨を受け取るとそれに対応する操作信号（以下、押下操作信号と呼ぶ。）を出力するものである。この接触操作信号は、押下操作信号変換部２３および送信部７０に供給される。
【００３４】
押下操作信号変換部２３は、押下操作信号出力部２２から出力された押下操作信号を接触操作信号に変換するものである。この接触操作信号は、押下されたキーに対応するものである。グループ信号変換部２４は、キー群１１が複数のグループに分けられている場合に押下操作信号変換部２３および接触操作信号出力部２１から出力された接触操作信号をグループ毎に異なる接触操作信号に変換するものである。すなわち、異なるキーに対して接触または押下等の操作を行っても、同じグループに属するキーへの操作に基づいて出力される操作信号は、バッファ３０に保持される際には同じ信号として扱われる。
【００３５】
同時操作検出信号出力部２５は、同時操作検出部１４から同時操作を検出した旨を受け取るとそれに対応する操作信号（以下、同時操作検出信号と呼ぶ。）を出力するものである。この同時操作検出信号は、送信部７０に供給される。ここで、同時操作検出部１４および同時操作検出信号出力部２５の利点について説明する。例えば操作入力部１０におけるキー群１１が、マトリクス状に配置されキースキャンコード方式を採用している場合、隣り合う少なくとも２つのキーが同時に接触操作入力または押下操作入力されると、どのキーに対して接触操作入力または押下操作入力されたのか操作端末１００において判断できないことが想定される。このような場合、被操作対象機器にその旨を表示させるようにすればユーザーにとって便宜である。その前提として少なくとも２つのキーが同時に接触操作入力または押下操作入力されたこと被操作対象機器に知らせる必要があるため、同時操作検出部１４および同時操作検出信号出力部２５は設けられている。なお、キースキャンコード方式とは、所定のキーに入力が加えられるとそのキーに対応するコードを出力する方式を言う。
【００３６】
バッファ３０は、グループ信号変換部２４から供給された接触操作信号を保持するものである。バッファ３０が保持容量の上限に達すると、バッファ３０は、保持している操作信号を時系列に古いものから順番に破棄して、新たに供給された操作信号を保持する。なお、バッファ３０においては、例えば操作信号１０個分程度を保持する容量を持ったバッファが想定されるが、これに限るものでない。
【００３７】
信号列リスト４０は、所定の信号列およびその所定の信号列に対応する被操作対象端末への要求を保持するものである。要求検索部５０は、バッファ３０に保持された操作信号を時系列に並べた信号列と一致する信号列を信号列リスト４０から検索するものである。検索の結果、バッファ３０に保持された操作信号を時系列に並べた信号列と一致する信号列が検索された場合、要求検索部５０はその一致する信号列に対応する被操作対象端末への要求を送信部７０に出力する。
【００３８】
信号消去部６０は、バッファ３０に操作信号が供給されてから所定時間経過後にバッファ３０に保持された操作信号を全て消去するものである。また、信号消去部６０は、被操作対象端末への要求が要求検索部５０から出力された後にもバッファ３０に保持された操作信号を全て消去する。
【００３９】
送信部７０は、信号出力部２０から出力された操作信号および要求検索部５０から出力された被操作対象端末への要求を符号化および変調等して、（図示しない）被操作対象端末へ送信するものである。なお、本発明の第１の実施の形態において（図示しない）被操作対象端末との通信は、例えば赤外線で行うことを想定している。
【００４０】
赤外線発光停止部８０は、例えば特定のキーに対する操作が所定時間継続して行われた場合に赤外線の発光を停止させるものである。具体的には、例えば特定のキーに対する操作が所定時間継続して行われた場合にはそれに対応する操作信号が所定時間継続して送信部７０に供給されるが、赤外線発光停止部８０は送信部７０に供給される操作信号を監視して、所定時間継続して同じ操作信号が送信部７０に供給されていると判断すると赤外線の発光を停止させる。
【００４１】
図３は、本発明の第１の実施の形態におけるプリセンス１２０の断面の一例を示す図である。プリセンス１２０の構造は、キー上端部１２１ａおよびキー下端部１２１ｂを備えたキー１２１と、低圧接点部材１２２ａおよび１２２ｂとスペーサ１２２ｃおよび１２２ｄとを備えた感圧スイッチ１２２と、タクトスイッチ（tactile switch）１２３と、プリント基板１２４とを備える。感応スイッチ１２２、タクトスイッチ１２３およびプリント基板１２４は、操作端末カバー１２５によって外部から保護されている。
【００４２】
キー１２１は、外部から接触操作入力または押下操作入力を受ける対象になる部材である。キー上端部１２１ａが接触操作入力または押下操作入力を図３の矢印方向に受けると、キー下端部１２１ｂは低圧接点部材１２２ａに対して弱い圧力または強い圧力を加える。すなわち、キー下端部１２１ｂは感圧スイッチ１２２に対して弱い圧力または強い圧力を加える。
【００４３】
感圧スイッチ１２２は、低圧接点部材１２２ａと低圧接点部材１２２ｂとの間にスペーサ１２２ｃおよび１２２ｄが挟まれた構造をしており、キー下端部１２１ｂからの圧力を受けていない状態において低圧接点部材１２２ａと低圧接点部材１２２ｂとは、スペーサ１２２ｃおよび１２２ｄの厚さ分離れている。感圧スイッチ１２２は、キー下端部１２１ｂからの圧力を受けていない状態においてスイッチオフ状態になる。
【００４４】
低圧接点部材１２２ａは、キー下端部１２１ｂから弱い圧力を受けると湾曲して低圧接点部材１２２ａの中央付近が低圧接点部材１２２ｂに近づく。スペーサ１２２ｃとスペーサ１２２ｄとの間は所定距離離れているため、低圧接点部材１２２ａの湾曲が進むと、低圧接点部材１２２ａの中央付近は低圧接点部材１２２ｂに接触する。感圧スイッチ１２２は、低圧接点部材１２２ａの中央付近が低圧接点部材１２２ｂに接触するとスイッチオンになる。この状態が図２において説明した接触操作入力部１２が接触操作入力を検出した状態である。
【００４５】
低圧接点部材１２２ａまたは低圧接点部材１２２ｂは、プリント基板１２４に設けられた（図示しない）信号出力回路と接続されており、感圧スイッチ１２２がオンになるとそれに対応する操作信号が（図示しない）信号出力回路から出力される。なお、信号出力回路は、図２の信号出力部２０に対応するものである。
【００４６】
さらに、キー上端部１２１ａが押下操作入力を受けるとキー下端部１２１ｂは、低圧接点部材１２２ａに対して強い圧力を加え、それに伴い低圧接点部材１２２ａは低圧接点部材１２２ｂに対して強い圧力を加える。そして、低圧接点部材１２２ｂは、タクトスイッチ１２３に対して強い圧力を加える。この強い圧力が所定の圧力を超えると、タクトスイッチ１２３はオンになる。この状態が図２において説明した押下操作入力部１３が押下操作入力を検出した状態である。
【００４７】
タクトスイッチ１２３は、プリント基板１２４に設けられた上述の（図示しない）信号出力回路と接続されており、タクトスイッチ１２３がオンになるとそれに対応する操作信号が（図示しない）信号出力回路から出力される。
【００４８】
図４は、本発明の第１の実施の形態におけるジェスチャ入力の一例を示す図である。本発明の第１の実施の形態においてジェスチャ入力とは、少なくとも２以上のキーが設けられたリモコンにおいて予め決められた順にキーに対して入力を行うものである。ジェスチャ入力における操作としては、例えばキーからそのキーの隣に配置されたキーへと連続して間断なく入力していくことが想定される。本発明のその他の実施の形態においてもジェスチャ入力は同様の意味で用いるものとする。なお、ジェスチャ入力の過程において押下操作入力がされた場合、それは接触操作入力をしたものとして扱うものと仮定する。
【００４９】
ジェスチャ入力が行われると、時系列に並んだ操作信号の信号列がバッファ３０に保持される。ジェスチャ入力の一例として、図４には、ジェスチャ入力＃１乃至ジェスチャ入力＃３が示されている。なお、ジェスチャ入力＃１乃至ジェスチャ入力＃３を説明するためにプリセンス１２０の縦に番号１乃至５を付し、横に記号Ａ乃至Ｅを付し、プリセンス１２０のそれぞれの位置は、記号と番号とを組み合わせて表す。
【００５０】
ジェスチャ入力＃１は、「Ｅ５、Ｅ４、Ｅ３、Ｅ２、Ｅ１」の順に外部からプリセンス１２０に対して接触操作入力または押下操作入力をしたものである。ジェスチャ入力＃２は、「Ｅ５、Ｄ５、Ｃ５、Ｂ５、Ａ５」の順に外部からプリセンス１２０に対して接触操作入力または押下操作入力をしたものである。ジェスチャ入力＃３は、「Ｅ５、Ｄ４、Ｃ３、Ｂ２、Ａ１」の順に外部からプリセンス１２０に対して接触操作入力または押下操作入力をしたものである。
【００５１】
なお、本発明の第１の実施の形態においてジェスチャ入力は、ジェスチャ入力＃１乃至ジェスチャ入力＃３以外にも例えば、「Ｅ１、Ｅ２、Ｅ３、Ｅ４、Ｅ５、Ｄ５、Ｃ５、Ｂ５、Ａ５」、または、「Ｅ１、Ｅ２、Ｅ３、Ｅ４、Ｅ５、Ｄ５、Ｃ５、Ｂ５、Ａ５、Ａ４、Ａ３、Ａ２、Ａ１」の順に外部からプリセンス１２０に対して接触操作入力または押下操作入力をしたものが想定されるが、これに限るものではない。
【００５２】
図５は、本発明の第１の実施の形態における信号列リスト４０の内容を示すものである。信号列リスト４０は、被操作対象機器に対する要求４１と信号列４２とを備える。被操作対象機器に対する要求４１は、操作端末１００の被操作対象機器に対する要求である。コマンド＃１としては、例えば被操作対象機器に保持された動画の再生を要求するコマンドが想定される。コマンド＃２としては、例えば被操作対象機器が録画機能付のテレビの場合に放送の録画を要求するコマンドが想定される。
【００５３】
信号列４２は、予め設定された信号列であり、それぞれの信号列は被操作対象機器に対する要求４１と対応付けられている。なお、図５に示す信号列を構成する操作信号の各々は、図４において示した記号と番号とで特定されたプリセンス１２０に対応する操作信号を表している。
【００５４】
本発明の第１の実施の形態におけるジェスチャ入力において、図４で説明したジェスチャ入力＃１を行うとそれに対応する操作信号の信号列は「Ｅ５、Ｅ４、Ｅ３、Ｅ２、Ｅ１」であり、これは被操作対象機器に対する要求４１のコマンド＃１に対応する。すなわち、操作端末１００においてジェスチャ入力＃１を行うと被操作対象機器に対してコマンド＃１が送信され、被操作対象機器は動画の再生を行う。
【００５５】
また、ジェスチャ入力＃２を行うとそれに対応する操作信号の信号列は「Ｅ５、Ｄ５、Ｃ５、Ｂ５、Ａ５」であり、これは被操作対象機器に対する要求４１のコマンド＃２に対応する。すなわち、操作端末１００においてジェスチャ入力＃２を行うと被操作対象機器に対してコマンド＃２が送信され、被操作対象機器は放送の録画を行う。
【００５６】
図６は、本発明の実施の形態におけるジェスチャ入力の別の実施の形態を示すものである。本発明の別の実施の形態においては、プリセンス１２０をいくつかのグループに分けて同じグループに属するプリセンス１２０から出力される操作信号は、ジェスチャ入力としては同じ信号として扱う。
【００５７】
図６（ａ）は、本発明の第２の実施の形態におけるジェスチャ入力を示すものである。本発明の第２の実施の形態において５×５のマトリクス状に配置されたプリセンス１２０は、グループ＃１乃至グループ＃４の４つのグループに分けられており、ジェスチャ入力に関係しないプリセンス１２０もある。ジェスチャ入力に関係しないプリセンス１２０は、「Ａ３、Ｂ３、Ｃ１、Ｃ２、Ｃ３、Ｃ４、Ｃ５、Ｄ３、Ｅ３」である。
【００５８】
本発明の第２の実施の形態におけるグループの分け方は、５×５のマトリクスを四角形状に４つの領域に分け、同じ領域に属するプリセンス１２０を同じグループに属するものとしている。同じグループに属するプリセンス１２０のいずれかに対して接触または押下してもジェスチャ入力としては同じ信号として扱う。
【００５９】
例えば、図４で説明した本発明の第１の実施の形態のジェスチャ入力＃１によって、「Ｅ５、Ｅ４、Ｅ３、Ｅ２、Ｅ１」と５種類の操作信号が５つ出力されたが、図４におけるジェスチャ入力＃１を図６（ａ）に示す本発明の第２の実施の形態において行うと「グループ＃４、グループ＃４、グループ＃２、グループ＃２」と２種類の操作信号が４つ出力される。
【００６０】
本発明の第２の実施の形態によれば、同じグループに属するプリセンス１２０から出力される操作信号はジェスチャ入力としては同じ信号として扱うため、操作ミスによる誤作動を防止することができる。
【００６１】
図６（ｂ）は、本発明の第３の実施の形態におけるジェスチャ入力を示すものである。本発明の第３の実施の形態において５×５のマトリクス状に配置されたプリセンス１２０は、グループ＃１乃至グループ＃５の５つのグループに分けられている。本発明の第３の実施の形態におけるグループの分け方は、５×５のマトリクスを四角形状に５つの領域に分け、同じ領域に属するプリセンス１２０を同じグループに属するものとしている。本発明の第３の実施の形態も本発明の第２の実施の形態と同様に、同じグループに属するプリセンス１２０のいずれかに対して接触または押下してもジェスチャ入力としては同じ信号として扱う。
【００６２】
例えば、図４で説明した本発明の第１の実施の形態のジェスチャ入力＃２によって、「Ｅ５、Ｄ５、Ｃ５、Ｂ５、Ａ５」と５種類の操作信号が５つ出力されたが、図４におけるジェスチャ入力＃２を図６（ａ）に示す本発明の第２の実施の形態において行うと「グループ＃５、グループ＃５、グループ＃４、グループ＃３、グループ＃３」と３種類の操作信号が５つ出力される。
【００６３】
本発明の第３の実施の形態も本発明の第２の実施の形態の場合と同様に、同じグループに属するプリセンス１２０から出力される操作信号はジェスチャ入力としては同じ信号として扱うため、操作ミスによる誤作動を防止することができる。
【００６４】
図６（ｃ）は、本発明の第４の実施の形態におけるジェスチャ入力を示すものである。本発明の第４の実施の形態において５×５のマトリクス状に配置されたプリセンス１２０は、グループ＃１乃至グループ＃４の４つのグループに分けられている。本発明の第４の実施の形態におけるグループの分け方は、５×５のマトリクスを三角形状に４つの領域に分け、同じ領域に属するプリセンス１２０を同じグループに属するものとしている。
【００６５】
図６（ｄ）は、本発明の第５の実施の形態におけるジェスチャ入力を示すものである。本発明の第５の実施の形態において５×５のマトリクス状に配置されたプリセンス１２０は、グループ＃１およびグループ＃２の２つのグループに分けられている。本発明の第５の実施の形態におけるグループは、５×５のマトリクスの中心付近に位置する円状の領域とそれ以外の領域とに分けられている。
【００６６】
本発明の第４の実施の形態におけるジェスチャ入力も本発明の第５の実施の形態におけるジェスチャ入力もその他の点については、本発明の第２の実施の形態におけるジェスチャ入力および本発明の第３の実施の形態におけるジェスチャ入力と同様の考え方で説明できるため説明を省略する。
【００６７】
図７は、本発明の別の実施の形態におけるプリセンス１２０の形状および配置を示す図である。図７（ａ）は、本発明の第６の実施の形態におけるプリセンス１２０の形状および配置を示す図である。本発明の第６の実施の形態におけるプリセンス１２０の形状は、平面の四方向に半円が突起した形状をしている。なお、プリセンス１２０の形状は、これに限るものでなく、四角形や三角形が突起した形状をしていてもよい。また、プリセンス１２０は、プリセンス１２０の突起した形状が操作端末１００の表面を含む平面内の上下左右方向を向くようにされマトリクス状に配置されているが、配置はこれに限るものでない。
【００６８】
ここで、隣り合うプリセンス１２０の距離に注目する。本発明の第６の実施の形態においては、上下方向に隣り合うプリセンス１２０間の距離Ｌａと斜め方向に隣り合うプリセンス１２０間の距離Ｌｂとの差は大きくしてある。これにより、ユーザーは、操作端末１００の上下左右方向のジェスチャ入力が容易になる。一方、斜め方向のジェスチャ入力については、ユーザーにとって行い易くないが、本発明の第６の実施の形態においては、上下方向のジェスチャ入力を想定したものであるため、その点について問題は生じない。
【００６９】
図７（ｂ）は、本発明の第７の実施の形態におけるプリセンス１２０の形状および配置を示す図である。本発明の第７の実施の形態におけるプリセンス１２０の形状も、平面の四方向に半円が突起した形状をしている。プリセンス１２０は、本発明の第６の実施の形態におけるプリセンス１２０を操作端末１００の表面を含む平面内において４５度回転させた方向を向くようにされ、マトリクス状に配置されている。
【００７０】
ここで、隣り合うプリセンス１２０の距離に注目する。本発明の第７の実施の形態においては、上下方向に隣り合うプリセンス１２０間の距離Ｌａと斜め方向に隣り合うプリセンス１２０間の距離Ｌｂとの差を小さくしてある。これにより、ユーザーは、操作端末１００の上下左右方向のジェスチャ入力のみならず、斜め方向のジェスチャ入力も容易になる。すなわち、本発明の第７の実施の形態においては、上下方向のみならず斜め方向のジェスチャ入力をも想定したものである。
【００７１】
図８は、本発明の第８の実施の形態における操作端末１００を示す図である。図８（ａ）は、本発明の第８の実施の形態における操作端末１００を表面から見た平面図である。本発明の第８の実施の形態においては、プリセンス１２０が配置された領域の略中心に位置するプリセンス１２０に突起部１２８を設けている。
【００７２】
この突起部１２８は、ユーザーが操作端末１００を持ったときに、操作端末１００を見ることなくプリセンス１２０が配置された領域の略中心を探すために用いられる。すなわち、プリセンス１２０が配置された領域の略中心に突起部１２８を設けると、ユーザーは視覚によらずに触覚によってそのプリセンス１２０が配置された領域の略中心を認識することができる。
【００７３】
図８（ｂ）は、本発明の第８の実施の形態における操作端末１００を裏面から見た平面図である。裏面においてもプリセンス１２０が配置された領域の略中心に相当する位置に突起部１２９が設けられている。これも図８（ａ）で説明したのと同様に、操作端末１００の裏面における突起部１２９にユーザーが触れることによって、操作端末１００の表面に設けられたプリセンス１２０が配置された領域の略中心をユーザーは認識することができる。
【００７４】
図８（ｃ）は、本発明の第８の実施の形態における操作端末１００の側面図である。図８（ｃ）に示すように操作端末１００の裏面における突起部１２９が設けられた位置付近は窪んでおり、この範囲は、図８（ｂ）における突起部１２９を囲む点線の領域にわたる。
【００７５】
図９は、本発明の第１の実施の形態における操作端末１００の応用例を示す図である。図９においては、被操作対象機器としてテレビを想定しており、操作端末１００はテレビのチャンネルを切り換えるリモコンとして用いられている。本発明の第１の実施の形態における操作端末１００においてテレビに操作信号を送信すると、テレビの表示画面５００には、放送局から受信した映像と操作端末１００のプリセンス１２０に対応する操作表示５１０が表示される。操作表示５１０は、テレビのチャンネルの局として「１」乃至「１２」までが表示されている。
【００７６】
本発明の第１の実施の形態における操作端末１００のプリセンス１２０は、接触操作入力または押下操作入力の２種類の入力が可能であるため、例えば接触操作入力において、テレビのチャンネルの局の選択を行い、押下操作入力においてその決定を行うことが想定される。すなわち、ユーザーは、プリセンス１２０に触れるだけでチャンネルの選択ができ、そのユーザーが触れているプリセンス１２０が表示画面５００に着色されて表示される。そして選択に対応するプリセンス１２０に対して押下操作入力が行われると、テレビの放送チャンネルが変更される。
【００７７】
図１０は、本発明の第１の実施の形態における操作端末１００において３つのプリセンス１２０に対して同時に操作を行った場合を示す図である。操作端末１００において誤って３つのプリセンス１２０に対して同時に操作を行ってしまった場合、操作端末１００はそのことを検出して被操作対象端末に対してその旨を送信する。被操作対象端末は、その旨を受け取ると、表示画面５００の操作表示５２０の右上端部を着色させる。誤って少なくとも２つのプリセンス１２０に対して同時に操作を行った場合には必ず操作表示５２０の右上端部を着色させるようにしておけば、ユーザーは誤った操作をしたことを認識することができる。
【００７８】
図１１は、本発明の第１の実施の形態における操作端末１００の別の応用例を示す図である。図１１においては、被操作対象機器としてＷＥＢブラウジング機能を有するテレビを想定しており、操作端末１００はＷＥＢブラウザ画面をスクロールさせるリモコンとして用いられている。例えば、本発明の第１の実施の形態における操作端末１００のプリセンス１２０に対して、図１１に示す矢印の方向にジェスチャ入力を行うと、ＷＥＢブラウザの表示画面５００中のスクロールバー５３０が矢印の方向に動く。これにより、表示画面５００に表示された画面もスクロールすることになる。
【００７９】
次に本発明の第１の実施の形態における操作端末１００の動作について図面を参照して説明する。
【００８０】
図１１は、本発明の第１の実施の形態における操作端末１００の動作の流れを示す図である。操作端末１００の電源が投入されると、操作端末１００が外部から操作を受けたか否かが判断される（Ｓ９１１）。操作を受けたと判断されると、信号消去部６０のタイマーがリセットされ（Ｓ９１２）、タイマーが計時される（Ｓ９１３）。
【００８１】
次に、外部から受けた操作入力が接触操作入力か否かが判断される（Ｓ９１４）。外部から受けた操作入力が接触操作入力と判断されると、接触操作信号出力部２１は接触操作信号を出力する（Ｓ９１５）。この出力された接触操作信号は、バッファ３０に供給されて保持される（Ｓ９１８）。一方、外部から受けた操作入力が押下操作入力と判断されると、信号出力部２０は押下操作信号を出力する（Ｓ９１６）。この押下操作信号は、押下操作信号変換部２３において押下操作入力をされたプリセンス１２０に対応する接触操作信号に変換される（Ｓ９１７）。この変換された接触操作信号は、バッファ３０において保持される（Ｓ９１８）。なお、ステップＳ９１５において出力された接触操作信号およびステップＳ９１６において出力された押下操作信号は、バッファ３０の他に送信部７０に対しても供給される。また、キー群１１が複数のグループに分けられている場合には、接触操作信号出力部２１および押下操作信号変換部２３から出力される接触操作信号は、グループ毎にことなる接触操作信号に変換される処理が行われる。
【００８２】
次に、バッファ３０に保持された接触操作信号を時系列に並べた信号列が信号列リスト４０において保持されているか否かを、要求検索部５０が検索する（Ｓ９１９）。検索した結果、バッファ３０に保持された接触操作信号を時系列に並べた信号列が信号列リスト４０において保持されていないと判断されると、ステップＳ９１５において出力された接触操作信号またはステップＳ９１６において出力された押下操作信号を送信部７０から被操作対象機器に対して送信する前提として、他の接触操作信号または押下操作信号が現在送信されているか否かが判断される（Ｓ９２３）。
【００８３】
他の接触操作信号または押下操作信号が現在送信されていないと判断されると、ステップＳ９１５において出力された接触操作信号またはステップＳ９１６において出力された押下操作信号は、送信部７０から被操作対象機器に対して送信される（Ｓ９２４）。一方、他の接触操作信号または押下操作信号が現在送信されていると判断されると、ステップＳ９１５において出力された接触操作信号またはステップＳ９１６において出力された押下操作信号は廃棄される（Ｓ９２５）。
【００８４】
次に、信号消去部６０におけるタイマーがタイムアウトになったか否かが判断される（Ｓ９２６）。タイムアウトになったと判断されると、バッファ３０に保持されている接触操作信号が全て消去され（Ｓ９２２）、ステップ９１１に戻る。一方、タイムアウトになっていないと判断されると、タイムアウトになるまで操作端末１００が外部から操作を受けたか否かが判断される（Ｓ９２７）。ステップＳ９２７において操作端末１００が外部から操作を受けたと判断されると、ステップＳ９１４に戻る。
【００８５】
ステップ９１９における検索の結果、バッファ３０に保持された接触操作信号を時系列に並べた信号列が信号列リスト４０において保持されていると判断されると、他の接触操作信号または押下操作信号が送信部７０から現在送信中か否かが判断される（Ｓ９２０）。現在送信中でないと判断されると、検索された信号列に対応する被操作対象機器への要求が被操作対象機器に対して送信される（Ｓ９２１）。送信された後、バッファ３０に保持されている接触操作信号が全て消去され（Ｓ９２２）、ステップ９１１に戻る。
【００８６】
このように、本発明の実施の形態によれば、ユーザーの入力速度を上げてもその入力は完全には廃棄されずバッファ３０において保持されるため、赤外線を用いた通信方式の操作端末１００であってもジェスチャ入力を可能とする。そして、ジェスチャ入力に対応する被操作対象機器への要求を被操作対象機器へ送信することができる。
【００８７】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８８】
すなわち、請求項１において、操作入力手段は、例えば操作入力部１０に対応する。また、信号出力手段は、例えば信号出力部２０に対応する。また、バッファは、バッファ３０に対応する。また、信号列リストは、例えば信号列リスト４０に対応する。また、要求検索手段は、例えば要求検索部５０に対応する。また、送信手段は、例えば送信部７０に対応する。
【００８９】
また、請求項２において、キーは、例えばキー群１１に含まれるキーに対応する。また、接触操作入力手段は、例えば接触操作入力部１２に対応する。また、押下操作入力手段は、例えば押下操作入力部１３に対応する。また、接触操作信号出力手段は、例えば接触操作信号出力部２１に対応する。また、押下操作信号出力手段は、例えば押下操作信号出力部２２に対応する。
【００９０】
また、請求項３において、信号変換手段は、例えば押下操作信号変換部２３に対応する。
【００９１】
また、請求項４において、グループ信号変換手段は、例えばグループ信号変換部２４に対応する。
【００９２】
また、請求項５において、同時操作検出手段は、例えば同時操作検出部１４に対応する。また、同時操作検出信号出力手段は、例えば同時操作検出信号出力部２５に対応する。
【００９３】
また、請求項７において、突起部は、例えば突起部１２８に対応する。
【００９４】
また、請求項８において、突起部は、例えば突起部１２９に対応する。
【００９５】
また、請求項９および請求項１０において、信号消去手段は、例えば信号消去部６０に対応する。
【００９６】
また、請求項１２において、赤外線発光停止手段は、例えば赤外線発光停止部８０に対応する。
【００９７】
また、請求項１３において、操作入力手段は、例えば操作入力部１０に対応する。また、信号出力手段は、例えば信号出力部２０に対応する。また、バッファは、バッファ３０に対応する。また、信号列リストは、例えば信号列リスト４０に対応する。また、要求検索手段は、例えば要求検索部５０に対応する。また、送信手段は、例えば送信部７０に対応する。また、情報処理機器は、例えば表示画面５００を含む情報処理機器に対応する。
【００９８】
また、請求項１４および請求項１５において、信号列リストは、例えば信号列リスト４０に対応する。また、バッファは、例えバッファ３０に対応する。また、操作判断手順は、例えばステップＳ９１１およびステップＳ９２７に対応する。また、信号出力手順は、例えばステップＳ９１５乃至ステップＳ９１７に対応する。また、信号保持手順は、例えばステップＳ９１８に対応する。また、要求検索手順は、例えばステップＳ９１９に対応する。また、送信手順は、ステップＳ９２０およびステップＳ９２１に対応する。
【００９９】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１００】
【図１】本発明の第１の実施の形態における操作端末１００の構成の一例を示す図である。
【図２】本発明の第１の実施の形態における操作端末１００の機能構成の一例を示す図である。
【図３】本発明の第１の実施の形態におけるプリセンス１２０の断面の一例を示す図である。
【図４】本発明の第１の実施の形態におけるジェスチャ入力の一例を示す図である。
【図５】本発明の第１の実施の形態における信号列リスト４０の一構成例を示すものである。
【図６】本発明の第１の実施の形態におけるジェスチャ入力の別の実施の形態を示すものである。
【図７】本発明の別の実施の形態におけるプリセンス１２０の形状および配置を示す図である。
【図８】本発明のさらに別の実施の形態における操作端末１００を示す図である。
【図９】本発明の第１の実施の形態における操作端末１００の応用例を示す図である。
【図１０】本発明の第１の実施の形態における操作端末１００において３つのプリセンス１２０に対して同時に操作を行った場合を示す図である。
【図１１】本発明の第１の実施の形態における操作端末１００の別の応用例を示す図である。
【図１２】本発明の第１の実施の形態における操作端末１００の動作の流れを示す図である。
【符号の説明】
【０１０１】
１０  操作入力部
１１  キー群
１２  接触操作入力部
１３  押下操作入力部
１４  同時操作検出部
２０  信号出力部
２１  接触操作信号出力部
２２  押下操作信号出力部
２３  押下操作信号変換部
２４  グループ信号変換部
２５  同時操作検出信号出力部
３０  バッファ
４０  信号列リスト
５０  要求検索部
６０  信号消去部
７０  送信部
８０  赤外線発光停止部
１００  操作端末
１２０  プリセンス
１２１  キー
１２１ａ  キー上端部
１２１ｂ  キー下端部
１２２  感応スイッチ
１２２ａ、１２２ｂ  低圧接点部材
１２２ｃ、１２２ｄ  スペーサ
１２３  タクトスイッチ
１２４  プリント基板
１２５  操作端末カバー
【図１】
2007025810.tif 000003
【図２】
2007025810.tif 000004
【図３】
2007025810.tif 000005
【図４】
2007025810.tif 000006
【図５】
2007025810.tif 000007
【図６】
2007025810.tif 000008
【図７】
2007025810.tif 000009
【図８】
2007025810.tif 000010
【図９】
2007025810.tif 000011
【図１０】
2007025810.tif 000012
【図１１】
2007025810.tif 000013
【図１２】
2007025810.tif 000014